(57)【要約】【課題】ゴキブリ等の害虫を有効に忌避し、定着を阻害するとともに、生活小物を置いてしまうことがなく、コンパクトで安価な害虫忌避部材を提供する。【解決手段】  屋内外における害虫の侵入する虞のある場所の近辺に配置され、薬剤処理が施された害虫忌避部材であって、設置場所の底面と側面とに当接して、前記害虫の触角が触れるように形成された面形状又は立体形状を有すると共に、当該設置場所の隅部分に沿って配置されることを特徴とする害虫忌避部材１０。【選択図】図１
2008212088.tif 000002
【特許請求の範囲】
【請求項１】
屋内外における害虫の侵入する虞のある場所の近辺に配置され、薬剤処理が施された害虫忌避部材であって、
設置場所の底面と側面とに当接して、前記害虫の触角が触れるように形成された面形状又は立体形状を有すると共に、当該設置場所の隅部分に沿って配置されることを特徴とする害虫忌避部材。
【請求項２】
前記立体形状が、前記設置場所の底面と側面とに当接する断面視略直角形を有する三角柱形状であることを特徴とする請求項１に記載した害虫忌避部材。
【請求項３】
前記略直角形に対峠する辺が、当該略直角形に向けて凹形状をなす凹面を備えることを特徴とする請求項２に記載した害虫忌避部材。
【請求項４】
配置されたときの、
前記底面に沿った幅寸法が１ｍｍ〜５０ｍｍ、前記側面に沿った高さ寸法が５ｍｍ〜５０ｍｍであることを特徴とする請求項１〜請求項３のいずれか１つに記載した害虫忌避部材。
【発明の詳細な説明】
【技術分野】
【０００１】
本発明は、害虫、例えばゴキブリ、アリ、クモ等の匍匐害虫を忌避し、定着を阻害するのに用いる害虫忌避部材に関する。
【背景技術】
【０００２】
従来、害虫を駆除するには、エアゾールタイプのものが多く使用されている。
【０００３】
しかし、このタイプのものは使用者が害虫発見時に用いるものであり、予防効果は期待できない。また、使用時に薬剤が害虫以外の床や家具、食器等に付着する虞がある。
【０００４】
一方、予防効果を期待して、害虫の侵入する虞のある場所の近辺に設置しておくタイプの害虫忌避部材がある。
【０００５】
害虫忌避部材の一例として、忌避剤シートと、忌避剤シートに接する第１の接着層を介して貼着させた液体不透過性シートと、液体不透過性シートに接する第２の接着層を介して貼着させた剥離シートと、を備えたものが知られている（例えば、特許文献１参照）。      
【０００６】
害虫忌避部材の他の一例として、家具下部に配置した超低硬度エラストマーと、発泡性エラストマーと、を備えたものが知られている（例えば、特許文献２参照）。
【０００７】
害虫忌避部材のさらに他の一例として、ケースにゴキブリ忌避剤を収納し、ケースの底面下面の空間に連通する通気口を設けたものが知られている（例えば、特許文献３参照）。
【０００８】
【特許文献１】実開平１−１２５３０２号公報
【特許文献２】特開２００３−１６４２５０号公報
【特許文献３】実開昭６２−２４７４８０２号公報
【発明の開示】
【発明が解決しようとする課題】
【０００９】
しかしながら、特許文献１〜３に開示された害虫忌避部材では、いずれも十分な予防効果を得ることができない場合が多かった。また、キッチンラックや食器棚等の製造時に害虫忌避部材を設置して販売することは容易ではあるが、一般消費者がそれらを購入後に害虫忌避部材を設置することは難しい。
【００１０】
さらに、うまく設置できたとしても、使用者が害虫忌避部材の上に容器や皿やコップ等の生活小物を置いてしまい、それらに害虫忌避部材の薬剤が付着する虞がある。
【００１１】
そのため、消費者が購入後に手軽に設置でき且つ薬剤が付着する虞もなく、コンパクトで安価な害虫忌避部材が望まれている。
【００１２】
本発明は、上述した課題に鑑みてなされたものであり、その目的は、害虫を有効に忌避するとともに、生活小物を置いてしまうことがなく、薬剤の付着の虞がなく安心でき、コンパクトで安価な害虫忌避部材を提供することにある。
【課題を解決するための手段】
【００１３】
上記の目的を達成するため、本発明に係る害虫忌避部材は、屋内外における害虫の侵入する虞のある場所の近辺に配置され、薬剤処理が施された害虫忌避部材であって、
設置場所の底面と側面とに当接して、前記害虫の触角が触れるように形成された面形状又は立体形状を有すると共に、当該設置場所の隅部分に沿って配置されることを特徴としている。
【００１４】
上記構成の害虫忌避部材によれば、設置場所の底面と側面とに当接して、前記害虫の触角が触れるように形成された面形状又は立体形状を有すると共に、当該設置場所の隅部分に沿って配置される。ここで、発明者は、ゴキブリ等の害虫の生物学的特徴を研究し、害虫の行動・習性に鑑みて、設置場所の底面と側面とに当接するような面形状又は立体形状にすることにより効果的に害虫を忌避できることを見出した。これにより、十分な忌避効果を得ることができるとともに、簡素な構造でもってコンパクトで且つ安価とすることができる。
また、ゴキブリが埃や塵の上を徘徊することを嫌う習性があることから、前記面形状又は前記立体形状が斜面を有している場合には、害虫忌避部材本体に埃や塵等が積もることがなく、また使用者が害虫忌避部材の上に生活小物を置いてしまうことがなく薬剤の付着の虞がなく、ゴキブリと害虫忌避部材との接触する可能性を高めることができる。
【００１５】
また、前記立体形状が、前記設置場所の底面と側面とに当接する断面視略直角形を有する三角柱形状であることを特徴としている。
【００１６】
上記構成の害虫忌避部材によれば、断面視略直角形をなす三角柱形状とすることで、設置場所の底面と側面とに当接させながら隅部分に沿って容易に配置させることができる。
【００１７】
さらに、前記略直角形に対峠する辺が、当該略直角形に向けて凹形状をなす凹面を備えることを特徴としている。
【００１８】
上記構成の害虫忌避部材によれば、ゴキブリ等の害虫の触角の動きとその範囲を鑑みて凹面を備えることで、ゴキブリ等の害虫の触角が害虫忌避部材と接触する可能性を高め、害虫を有効に忌避することができる。
【００１９】
設置されたときの、前記底面に沿った幅寸法が１ｍｍ〜５０ｍｍ、前記側面に沿った高さ寸法が５ｍｍ〜５０ｍｍであることを特徴としている。
【００２０】
上記構成の害虫忌避部材によれば、一般家庭に出現するゴキブリは、体の高さが３〜１０ｍｍであって、触角の上下動の範囲が０〜３０ｍｍ程度であることに基づき、ゴキブリの行動・習性を鑑み、設置されたときの害虫忌避部材の寸法が、設置場所の底面に沿った幅寸法が１ｍｍ〜５０ｍｍであり、側面に沿った高さ寸法が５ｍｍ〜５０ｍｍに設定されることで、ゴキブリ等の害虫を有効に忌避することができる。
【発明の効果】
【００２１】
本発明によれば、ゴキブリ等の害虫を有効に忌避し定着を阻害するとともに、コップ等の生活小物を置いてしまうことがないので薬剤の付着の虞がなく安心感を付与することができ、且つ容易に設置することができるコンパクトで安価な害虫忌避部材を提供することができる。
【発明を実施するための最良の形態】
【００２２】
以下、本発明に係る好適な実施の形態例を図面に基づいて詳細に説明する。
【００２３】
図１、図２、図４（Ａ），（Ｂ）は本発明に係る害虫忌避部材の一実施形態であって、図１は本発明に係る害虫忌避部材の一実施形態を示す外観斜視図、図２は図１の害虫忌避部材をキャビネットへの配置した例、図４（Ａ），（Ｂ）は本発明の実施例におけるそれぞれ配置図である。なお、図３（Ａ）はゴキブリの生物学的特徴を説明する平面図、図３（Ｂ）は図３（Ａ）の正面図である。
【００２４】
図１に示されるように、本発明に係る一実施形態である害虫忌避部材１０は、可撓性のある、例えば樹脂等を素材として成形されており、断面視直角形の直角部１２を有する三角柱形状をなす本体１１と、直角部１２に対峠する辺において直角部１２に向けて凹形状をなす凹面１３と、凹面１３上に施された薬剤処理層１４と、を備えて構成されている。
なお、素材は、樹脂の他、木材、厚紙、発泡体、金属等形状を保てるものであれば、適宜種々のものを採用することができる。
【００２５】
害虫忌避部材１０は、本体１１の底面１５が、１ｍｍ〜５０ｍｍの幅寸法Ｌ１であって、側面１６が、５ｍｍ〜５０ｍｍの高さ寸法Ｌ２を有する。より好ましくは、幅寸法Ｌ１は、１ｍｍ〜３０ｍｍであり、高さ寸法Ｌ２は、５ｍｍ〜４０ｍｍである。これにより、設置時に、設置箇所の底面と側面とに所望の範囲で当接させることができる。害虫忌避部材１０は、底面１５と側面１６とに、必要に応じて両面テープ等が貼り付けられ、必要な長さに切断される等して用いられ、設置場所の隅部分に沿って配置される。これにより、害虫忌避部材１０は、隅部分に亙って長寸に隙間なく配置されることとなる。
【００２６】
薬剤処理層１４に施される薬剤としては、害虫忌避効果を発揮できるものならば特に限定されず、例えば除虫菊エキス、天然ピレトリン、プラレトリン、イミプロトリン、フタルスリン、アレスリン、トランスフルトリン、ビフェントリン、レスメトリン、フェノトリン、シフェノトリン、ペルメトリン、サイパーメスリン、エトフェンプロックス、シフルスリン、デルタメスリン、ビフェントリン、フェンバレレート、フェンプロパトリン、エムペンスリン、シラフルオフェン、メトフルトリン、プロフルトリン等のピレスロイド系化合物、フェニトロチオン、ダイアジノン、マラソン、ピリダフェンチオン、プロチオホス、ホキシム、クロルピリホス、ジクロルボス等の有機リン系化合物、カルバリル、プロポクスル、メソミル、チオジカルブ等のカーバメート系化合物、メトキサジアゾン等のオキサジアゾール系化合物、フィプロニル等のフェニルピラゾール系化合物、アミドフルメト等のスルホンアミド系化合物、ジノテフラン、イミダクロプリド等のネオニコチノイド系化合物、メトプレン、ハイドロプレン、ピリプロキシフェン等の昆虫成長制御化合物、クロルフェナピル等のピロール系化合物等、ロテノン、ディート、Ｐ−メタン−３，８−ジオール、エチル−ブチルアセチルアミノプロピオネート、ヒドロキシアニソール、ベンジルアルコール、ハッカ油、シトロネラ油、ユーカリ油、ゲラニウム油、蚊連草、フェノキシエタノール等の１種又は２種以上が挙げられる。更に溶剤、或いはバインダーとして、塗料用樹脂等の固着剤、界面活性剤又は溶剤等の保留剤、油脂又はシリコーン等の撥水剤等を併せて用いてもかまわない。また、これに加えて埃や塵の付着を抑えるために帯電防止剤を用いてもよい。
また、薬剤処理方法は特に限定されず、塗布、薬剤の付いたフィルムや紙等のテープやシートの貼り付け、或いは樹脂等自体への練り込み、噴霧、浸漬等適宜必要に応じて種々の方法を採用することができる。
【００２７】
図２に示すように、害虫忌避部材１０は、例えば、キャビネット３０に設置される場合、キャビネット３０の内部に有する、底面３１と左側面３２の下部、底面３１と右側面３３の下部、底面３１と不図示の裏面の下部が直交して接続される隅部分に直角部１２が接するようにして、両面テープ等でもって底面１５と側面１６とが、底面３１、左側面３２、右側面３３、裏面に貼り付けられる。なお、キャビネット３０に代えて、キッチンの流し台、食器棚、食器ケース、食品ケース、ごみ箱、隙間ラック、収納家具等に設置しても良く、扉の下部付近に設置するとより好適である。
【００２８】
図３（Ａ），（Ｂ）に示すように、一般家庭によく出現する、例えばクロゴキブリ（成虫）Ｃは、体が３ｍｍ〜７ｍｍ程度の高さＬ３であり、触角Ｃ１を壁面４１に触れさせながら壁面４１に沿って移動する習性がある。また、その触角Ｃ１が、底面４２から０ｍｍ〜３０ｍｍ程度である高さＬ４において壁面４１に接触される。そして、クロゴキブリＣは、その足Ｃ２を壁面４１に沿って動かす習性があり、その際に、胴体Ｃ３が壁面４１から０ｍｍ〜３０ｍｍの距離Ｌ５をもって離れ、またその行動は壁面４１から５０ｍｍの範囲に集中する。
【００２９】
害虫忌避部材１０は、上記のクロゴキブリＣの生物学的特徴を考慮して、本体１１の底面１５の幅寸法Ｌ１と、側面１６の高さ寸法Ｌ２と、が設定されている。つまり、胴体Ｃ３が壁面４１から０ｍｍ〜３０ｍｍの距離Ｌ５をもって離れるクロゴキブリＣに対して、壁面４１から１ｍｍ〜３０ｍｍの幅寸法Ｌ１の底面１５上に薬剤処理層１４が配置されていることで、このクロゴキブリＣが薬剤処理層１４の薬剤を感知する。
【００３０】
ここで、底面１５上に凹面１３が配置されているために、使用者が害虫忌避部材１０の上に容器や皿やコップ等の生活小物を置いてしまうことがないので、それら生活小物に害虫忌避部材１０の薬剤が付着してしまうことを最小限に抑えることができる。
【００３１】
また、害虫忌避部材１０は、クロゴキブリＣが、０ｍｍ〜３０ｍｍ程度である高さＬ４において触角Ｃ１を壁面４１に触れさせようとする際に、触角Ｃ１を延ばした位置に、５ｍｍ〜５０ｍｍの高さ寸法Ｌ２の側面１６上に薬剤処理層１４が配置されていることで、このクロゴキブリＣが薬剤処理層１４の薬剤を感知する。これにより、薬剤処理層１４の薬剤を感知したクロゴキブリＣは、そこに留まらずに、他の場所へ移動してそこに定着することがなくなる。
【００３２】
（実施例）
次に、本発明に係る害虫忌避部材１０の作用効果を確認するために行った実施例について説明する。
（定着阻害試験）
図４（Ａ）に示すように、１回目の定着阻害試験は、上部を開放した円形バット４３に、底面１５の幅寸法Ｌ１を１ｍｍ〜５０ｍｍの範囲内である２０ｍｍとし、側面１６の高さ寸法Ｌ２を５ｍｍ〜５０ｍｍの範囲内である２０ｍｍとした害虫忌避部材１０を側面下部に貼り付けた配置済キャビネット４４を図中の左側に、害虫忌避部材１０を設置していない無配置キャビネット４５を図中の右側にそれぞれ並置し、各キャビネット４４，４５のドアを反対側で開放し、餌４６と水４７とを図中上部に配置した。
【００３３】
図４（Ｂ）に示すように、２回目の定着阻害試験は、上部を開放した円形バット４３に、底面１５の幅寸法Ｌ１を１ｍｍ〜５０ｍｍの範囲内である２０ｍｍとし、側面１６の高さ寸法Ｌ２を５ｍｍ〜５０ｍｍの範囲内である２０ｍｍとした害虫忌避部材１０を側面下部に貼り付けた配置済キャビネット４４を図中の右側に、害虫忌避部材１０を設置していない無配置キャビネット４５を図中の左側にそれぞれ並置し、各キャビネット４４，４５のドアを反対側で開放し、餌４６と水４７とを図中上部に配置した。
なお、本実施例では、薬剤として塩ビ製の樹脂にピレスロイド系化合物を練り込んだ部材を用いた。
【００３４】
そして、クロゴキブリ（雄／雌＝１／１）５０頭を円形バット４３にそれぞれ放し、蛍光灯下で一晩放置後に、各キャビネット４４，４５内の個体数を計数した。その結果を表１に示す。なお、ドアの開口幅は、クロゴキブリが自由に移動できるように、最大部分で１０ｍｍとした。
なお、定着阻害率は、定着阻害率＝１００×（無配置区侵入数−配置区侵入数）／（無配置区侵入数＋配置区侵入数）を用いて算出した。
【００３５】
【表１】
2008212088.tif 000003
【００３６】
表１より明らかなように、１回目の定着阻害試験では、無配置キャビネット４５内の個体数が４３であるのに対して、配置済キャビネット４４内の個体数は３となって、害虫忌避部材１０を設置した阻害率が８７．０％であることがわかる。また、２回目の定着阻害試験では、無配置キャビネット４５内の個体数が３５であるのに対して、配置済キャビネット４４内の個体数は２となって、害虫忌避部材１０を設置した阻害率が８９．２％であることがわかる。
【００３７】
したがって、これらの試験を総合して分析した結果、無配置キャビネット４５内の個体数が７８であるのに対して、配置済キャビネット４４内の個体数は５となって、害虫忌避部材１０を設置した阻害率が８８．０％となる。即ち、この試験を通じて、薬剤処理層１４が施され、本体１１の底面１５が、１ｍｍ〜５０ｍｍの幅寸法Ｌ１であって、側面１６が、５ｍｍ〜５０ｍｍの高さ寸法Ｌ２を有する害虫忌避部材１０がクロゴキブリＣを効率良く忌避できることが実証された。また、害虫忌避部材１０の直角部１２対峠する辺において直角部１２に向けて凹形状をなす凹面１３を備えることにより、クロゴキブリＣの足部Ｃ２が害虫忌避部材１０と接触する可能性を高めて、さらなる効率的な定着阻害を行うことができることがわかった。
なお、本実施例においては、底面１５の幅寸法Ｌ１を１ｍｍ〜５０ｍｍの範囲内である２０ｍｍとし、側面１６の高さ寸法Ｌ２を５ｍｍ〜５０ｍｍの範囲内である２０ｍｍとした害虫忌避部材１０を用いたが、側面１６の高さ寸法Ｌ２を５ｍｍ〜５０ｍｍの範囲内である４０ｍｍとした害虫忌避部材１０を用いた場合においても、同様の忌避効果を確認することができた。
【００３８】
以上、説明したように、本実施形態の害虫忌避部材１０によれば、直角部１２を有する三角柱形状であるために、キャビネット３０等の設置場所の底面３１と側面３２，３３とに接するようにしてキャビネット３０の隅部分に沿って長寸に配置される。これにより、ゴキブリ等の害虫の生物学的特徴から十分な忌避効果を得ることができるとともに、簡素な構造でもってコンパクトなのでコスト面に優れ、且つ使用者が害虫忌避部材１０の上に生活小物を置いてしまうことがないようにできる。これにより、薬剤の付着を最小限度に抑えることができる。
【００３９】
また、害虫忌避部材１０によれば、ゴキブリの触角Ｃ１の動きとその範囲を鑑みて凹面１３を備えることで、ゴキブリの足部Ｃ２が害虫忌避部材１０と接触する可能性を高め、ゴキブリのさらなる効率的な忌避を行うことができる。加えて、設置場所の隅部分に塵や埃等が溜まらなくすることができるので、日常の清掃を簡便に行うことができる。また、ゴキブリは埃や塵の上を徘徊しない傾向があり、このため害虫忌避部材１０に処理された薬剤との接触可能性を高めることができる。
【００４０】
また、害虫忌避部材１０によれば、一般家庭に出現するクロゴキブリ（成虫）は、体の高さがおおよそ３〜７ｍｍであって、触角の動く高さが０〜３０ｍｍ程度であることに基づき、害虫忌避部材１０と底面３１と側面３２，３３との当接の範囲について、キャビネット３０の底面３１に沿った幅寸法が１ｍｍ〜５０ｍｍであって、側面３２，３３に沿った高さ寸法が５ｍｍ〜５０ｍｍに設定されることで、ゴキブリの十分な忌避を行うことができる。
【００４１】
尚、本発明は、前述した実施形態に限定されるものではなく、適宜、変形、改良、組み合わせ、等が可能である。例えば、前述した実施形態では、害虫忌避部材１０を三角柱形状の立体形状として説明したが、これに限らず、設置場所の底面３１と側面３２，３３とに対し、少なくともゴキブリ等の害虫の触角が触れ得るような斜面を有してればよく、図５に示すような斜面５３を有して、設置箇所の長寸方向の端部に支持片５４を設けた構成としてもよい。或いは図６に示すように、支持片（５４）を設けず底面３１と側面３２，３３と直接係止し得るように係止片６１を斜面５３の上下縁部に設けても良い。さらに、これらいずれの構成においても、斜面が前述した実施形態と同じく凹面（１３）としてもよく、また当該斜面には薬剤が施される。
また、その他、断面がＬ字型又は凹型としてもよく、さらに前述した実施形態や変形例における各構成要素の材質、形状、寸法、数値、形態、数、配置箇所、等は本発明を達成できるものであれば任意であり、限定されない。
【図面の簡単な説明】
【００４２】
【図１】本発明に係る害虫忌避部材の一実施形態を示す外観斜視図である。
【図２】図１の害虫忌避部材をキャビネットへの配置した例である。
【図３】（Ａ）はゴキブリの生物学的特徴を説明する平面図、（Ｂ）は（Ａ）の正面図である。
【図４】（Ａ）は本発明の実施例における１回目の定着阻害試験の配置図、（Ｂ）は本発明の実施例における２回目の定着阻害試験の配置図である。
【図５】本発明に係る害虫忌避部材の別の変形例を示す外観斜視図である。
【図６】本発明に係る害虫忌避部材のさらに別の変形例を示す断面図である。
【符号の説明】
【００４３】
１０        害虫忌避部材
１２        直角部（断面視略直角形）
１３        凹面
１５        底面
１６        側面
３１        設置場所の底面
３２，３３  設置場所の側面
５３        斜面
５４        支持片
６１        係止片
【図１】
2008212088.tif 000004
【図２】
2008212088.tif 000005
【図３】
2008212088.tif 000006
【図４】
2008212088.tif 000007
【図５】
2008212088.tif 000008
【図６】
2008212088.tif 000009